(57)【要約】【課題】    高荷重なものを収容可能とし、衝撃等に対して耐力を有し、全体軽量で、使用後において処分が容易な紙製収容容器を提供することを目的としている。【解決手段】  紙製収容容器１１は、支持面１５上に載置される全体紙製のパレット１２、パレット１２の上面に載置され、パレット１２上に載置して収容される収容物１９を囲繞する筒状体１３、さらに筒状体１３の上部に被着され、筒状体１３の上部開口を閉塞する蓋体１４とにより構成される。全体紙製のパレット１２は、平面方形状の下面において、一対の脚材１７を備える。【選択図】図３
2010132294.tif 000002
【特許請求の範囲】
【請求項１】
全体方形状をなす紙製の面材を備え、該面材の上部を、収容物を載置する状態で収容する収容物の収容空間とし、面材の下面には全体長尺状をなす少なくとも一対の全体紙製からなる脚材を取付け、各脚材により路面や床面などの支持面上に載置可能とされ、支持面上の各脚材間の空間をフォークリフトのフォーク挿入部としてなる紙製のパレットと、上記パレットの面材の上面の収容空間に載置された収容物を囲繞する状態で面材の上面に載置され、内部に収容物を収容可能とし、上部と下部にそれぞれ開口を備えた全体紙製の筒状体と、上記筒状体の上部の開口を閉塞するように筒状体の上部に被着される全体紙製の蓋体と、を備える紙製収容容器であって、上記パレットの面材の下面に取り付けられる各脚材は、少なくとも一対の紙管材を管状胴部が支持面に対して垂直に立設し、管状下部が支持面上に載置される全体紙製からなる長尺面材の上面に被着する状態で形成され、一方各紙管材の管状上部は予め面材の下面の対応位置に形成された凹部に挿着する状態で面材に取り付けられることを特徴とする紙製収容容器。
【請求項２】
支持面上に載置される長尺面材の上面に対する各紙管材の被着は、予め長尺面材の所定位置に形成された開口部に管状下部を挿着し、開口部に挿着された各紙管材の管状下部の開口に長尺面材の下面側から周部につば部を備えた全体紙製のキャップ体を、つば部の上面に接着剤を塗布する状態で挿入し、つば部上面に塗布された接着剤を介して該キャップ体を長尺面材の下面に接着して行うこととしてなる請求項１に記載の紙製収容容器。
【請求項３】
上記パレットにおける各脚材の長尺面材の各端部、および該脚材が取付けられるパレットの面材における長尺面材の端部対応位置には、パレット上面の面材上面の収容空間に載置された収容物を囲繞する状態で載置される筒状体の上部開口との間で、蓋体、筒状体、パレットを周回する状態でこれらを結束し、パレットの脚体長手方向に沿って配設される結束バンドのガイド溝を備えることとしてなる請求項１または請求項２のいずれかに記載の紙製収容容器。
【請求項４】
筒状体の上部に被着される蓋体には、蓋体、筒状体、パレットを周回する状態でこれらを結束する結束バンドのガイド溝を備えることとした請求項４に記載の紙製収容容器。
【請求項５】
筒状体の上部に被着される蓋体には、全体紙製からなる長尺状のガイド部材が被着され、該ガイド部材はその上面に蓋体、筒状体、パレットを周回する状態でこれらを結束する結束バンドのガイド溝を備えることとした請求項４に記載の紙製収容容器。
【請求項６】
上記筒状体は、全体円筒状あるいは全体角筒状のいずれかである請求項１ないし５のいずれかに記載の紙製収容容器。
【請求項７】
上記パレットの脚材を構成する紙管材は、帯状紙材を丸環状に巻回して形成される丸管材、あるいは帯状紙材を角環状に巻回して形成される角管材のいずれかである請求項１ないし６のいずれかに記載の紙製収容容器。
【請求項８】
上記パレットの面材上部に載置し、収容される収容物は、帯状の金属材を環状になるように巻回したものであり、これをパレット上に複数段に段積みして収容するものである請求項１ないし７のいずれかに記載の紙製収容容器。
【発明の詳細な説明】
【技術分野】
【０００１】
本発明は、紙製のパレットを備え、かつその上部に載置されて収容物を収容可能とする紙製収容容器に関する。
【背景技術】
【０００２】
従来、帯鉄、帯鋼などと一般に呼ばれている帯状の金属材は、その製造メーカにおいて環状になるよう巻回して生産され、工場から出荷するようにしている。すなわち、環状にされた帯状の金属材は、図１０あるいは図１１に示すように包装する状態で木製の箱の中に段積みされ、工場からユーザに対して出荷するようにしている。
【０００３】
図１０に示す木製の収容箱１は、方形状の底板材２の上面を包装された環状の帯板材３の収容空間とされ、帯板材３は底板材２の上面において例えば図１１に示すように上下４段に段積みし、収容される。底板材２の下面には左右一対の長尺の脚材４が取り付けられ、収容箱１は底板２の下面において平行に取り付けられ、路面や床面などの支持面５上に載置可能とされる。
【０００４】
こうして底板材２の上面を載置し、収容される帯板材３は、方形状の底板材２の周部に立ち上げられる状態で取り付けられる側板材６に囲繞され、その内部に収容される。すなわち、これら側板材６も底板材２と同様に木製板材を、釘等を用いて結合して形成され、これら側板材６と底板材２にて上部に開口７を備えた収容箱１を構成するようにしている。
【０００５】
さらに収容箱１の上部に形成された方形状の開口７には、図１０に示すように全体方形状をなす木製の蓋体８が被着され、該蓋体８は収容箱１の側板材６に釘打ちされて開口７を閉塞するようにしている。これにより底板材２の上部に載置される帯板状３は収容箱１内に収容されることになる。
【０００６】
さらにこうして収容箱１内に帯板材３が収容された状態において、収容箱１に底板材２の下面、側板材６の外面、蓋体８の上面を周回する状態で収容箱１と蓋体８とを結束する結束バンド９が掛け回される。結束バンド９は金属製あるいは合成樹脂製の帯材が用いられ、図１０に示すように通常収容箱１の左右それぞれの位置に掛け回すようにしている。
【０００７】
このようにして内部に帯板材３を収容し、梱包された収容箱１は、支持面５上において、底板材２の下面に取り付けられた一対の脚材４間の空間１０をフォークリフトのフォーク挿入部としてなり、図１０に示すように内部に収容物を梱包してなる収容箱１はフォークリフトでトラックの荷台に積載され、工場から目的地まで出荷するようにしていた。
【０００８】
このように内部に金属製の帯板材３など高重量の収容物を収容する収容箱１は、蓋体８を含め、全て木製の材料で形成するのが普通とされていた。これは高荷重に耐えられる材質のものとして木製のものが最適とされ、しかも木製の方がフォークリフトなどで取り扱う際に外部から加わる衝撃等に対し、十分耐力を有することに起因していた。
【０００９】
ところで上記のように木製の材料で形成される収容箱１は、衝撃等に十分耐力を備え、高荷重のものを収容できるという利点があるものの、一方で全体的に重くなり、使用後において解体しづらいという問題があった。また図１０に示す梱包状態で収容物を輸出する場合において、輸出先で検疫のために収容箱１の全体を燻蒸処理することが義務づけられる場合があり、輸出入の手続において余計な時間がかかる場合が存在した。
【００１０】
こうした不具合を解消するため、出願人は全体を紙製の材料で形成した下記特許文献１に示す紙製収容容器の提案を行っている。
【００１１】
【特許文献１】特開２００１−２４０３１２号公報
【発明の開示】
【発明が解決しようとする課題】
【００１２】
こうした中で出願人は全体紙製からなり、高荷重の収容物を収容可能とし、衝撃等に対して耐力のある紙製収容容器の開発を行ったところである。
【００１３】
すなわち、本発明は、高荷重なものを収容可能とし、衝撃等に対して耐力を有し、全体軽量で、使用後において処分が容易な紙製収容容器を提供することを目的としている。
【課題を解決するための手段】
【００１４】
上記目的を達成するため、本発明は全体方形状をなす紙製の面材を備え、該面材の上部を、収容物を載置する状態で収容する収容物の収容空間とし、面材の下面には全体長尺状をなす少なくとも一対の全体紙製からなる脚材を取付け、各脚材により路面や床面などの支持面上に載置可能とされ、支持面上の各脚材間の空間をフォークリフトのフォーク挿入部としてなる紙製のパレットと、上記パレットの面材の上面の収容空間に載置された収容物を囲繞する状態で面材の上面に載置され、内部に収容物を収容可能とし、上部と下部にそれぞれ開口を備えた全体紙製の筒状体と、上記筒状体の上部の開口を閉塞するように筒状体の上部に被着される全体紙製の蓋体と、を備える紙製収容容器であって、上記パレットの面材の下面に取り付けられる各脚材は、少なくとも一対の紙管材を管状胴部が支持面に対して垂直に立設し、管状下部が支持面上に載置される全体紙製からなる長尺面材の上面に被着する状態で形成され、一方各紙管材の管状上部は予め面材の下面の対応位置に形成された凹部に挿着する状態で面材に取り付けられることを特徴とする紙製収容容器としている。
【００１５】
また本発明において、支持面上に載置される長尺面材の上面に対する各紙管材の被着は、予め長尺面材の所定位置に形成された開口部に管状下部を挿着し、開口部に挿着された各紙管材の管状下部の開口に長尺面材の下面側から周部につば部を備えた全体紙製のキャップ体を、つば部の上面に接着剤を塗布する状態で挿入し、つば部上面に塗布された接着剤を介して該キャップ体を長尺面材の下面に接着して行うこととしてなる請求項１に記載の紙製収容容器としている。
【００１６】
また、上記パレットにおける各脚材の長尺面材の各端部、および該脚材が取付けられるパレットの面材における長尺面材の端部対応位置には、パレット上面の面材上面の収容空間に載置された収容物を囲繞する状態で載置される筒状体の上部開口との間で、蓋体、筒状体、パレットを周回する状態でこれらを結束し、パレットの脚体長手方向に沿って配設される結束バンドのガイド溝を備えることとしてなる請求項１または請求項２のいずれかに記載の紙製収容容器としている。
【００１７】
また、筒状体の上部に被着される蓋体には、蓋体、筒状体、パレットを周回する状態でこれらを結束する結束バンドのガイド溝を備えることとした請求項４に記載の紙製収容容器としている。
【００１８】
また、筒状体の上部に被着される蓋体には、全体紙製からなる長尺状のガイド部材が被着され、該ガイド部材はその上面に蓋体、筒状体、パレットを周回する状態でこれらを結束する結束バンドのガイド溝を備えることとした請求項４に記載の紙製収容容器としている。
【００１９】
また、上記筒状体は、全体円筒状あるいは全体角筒状のいずれかである請求項１ないし５のいずれかに記載の紙製収容容器としている。
【００２０】
また、上記パレットの脚材を構成する紙管材は、帯状紙材を丸環状に巻回して形成される丸管材、あるいは帯状紙材を角環状に巻回して形成される角管材のいずれかである請求項１ないし６のいずれかに記載の紙製収容容器としている。
【００２１】
また、上記パレットの面材上部に載置し、収容される収容物は、帯状の金属材を環状になるように巻回したものであり、これをパレット上に複数段に段積みして収容するものである請求項１ないし７のいずれかに記載の紙製収容容器としている。
【発明の効果】
【００２２】
本発明によれば、高荷重なものを収容可能とし、衝撃等に対して耐力を有し、全体軽量で、使用後において処分が容易な紙製収容容器を提供することができるという効果がある。
【発明を実施するための最良の形態】
【００２３】
以下図１ないし図７に基づき、本発明の最良の実施形態に係る紙製収容容器を説明する。実施形態に係る紙製収容容器１１は、図２に示すように全体紙製のパレット１２、全体紙製の筒状体１３、全体紙製の蓋体１４とにより構成される。
【００２４】
紙製のパレット１２は、全体方形状をなし、路面や床面などの平面からなる支持面１５上に載置可能とされ、図１ないし図５において、支持面１５のＸＹ方向に沿って各辺部を対応させて配設させるようにしている。すなわちパレット１２は、全体紙製からなる方形状の面材１６の辺部を、Ｘ方向あるいはＹ方向に対応させてなり、面材１６の下面には長手方向をＹ方向に対応させてなる長尺状の脚材１７がＸ方向において左右一対取付けている。
【００２５】
脚材１７も全体を紙製の材料で形成され、各脚材１７は面材１６の下面に取付けられて支持面１５上においてパレット１２の面材１６を一定高さ位置に保つように設定される。これにより、支持面１５上において、各脚材１７間の空間１８をフォークリフトのフォークの挿入部としてなる。
【００２６】
パレット１２の面材１６の上面は、図２ないし図４に示すように収容物１９を載置し、収容するための収容空間とされる。図２ないし図４において面材１６の上面に載置して収容される収容物１９は、図４で示すように帯状の金属材２０を全体環状になるように巻回して製造される。こうして巻回され、製造される金属材２０は紙製の包装紙に被包されて図４に示すように収容物１９として、面材１６の上面に載置され、さらに図２あるいは図３に示すように面材１６の上面に複数段、段積みする状態で収容空間に収容可能とされる。
【００２７】
なお、収容空間に段積みする際、全体環状をなす収容物１９は、２段おきに間に紙製の介装体２０Ａを配設することとし、収容物１９の内部に収容される金属材２０に無理な荷重がかかるのを防止し、金属材２０に変形を及ぼさないようにしている（図２、図３参照）。
【００２８】
こうしてパレット１２の面材１６の上面に載置され、収容される収容物１９は、上部と下部にそれぞれ開口を備え、全体角筒状からなる筒状体１３にその周囲を囲繞される。すなわち、筒状体１３は収容物１９を囲繞する状態でパレット１２の面材１６上に載置され、内部に段積みされる収容物１９を収容可能とするものである。ここで筒状体１３は、図２に示すように一枚の紙製面材を屈曲して形成するものでよく、角筒状に屈曲された端部を矢印に示すように突合させ、この部分を紙テープ等で接着し、パレット１２上で全体角筒状となるように成形することとしてもよい。
【００２９】
さらに、こうしてパレット１２上に載置・収容され、周囲を筒状体１３で囲繞された収容物１９は、筒状体１３の上部の開口を閉塞するように蓋体１４が配設される。すなわち筒状体１３は、その上部に載置する状態で被着される全体紙製の蓋体１４により、上部が覆われるようにしている。ここで蓋体１４は、平面方形状からなる角筒状の筒状体１３の上部開口を覆うことができるように、筒状体１３の上面から観たサイズよりも大サイズからなる平面方形状の面材にて形成される。
【００３０】
このようにして形成される紙製収容容器１１のうち、蓋体１４と筒状体１３は、段ボール材や積層される板紙材で形成される。一方パレット１２はその上面に高荷重の収容物１９が段積みされる状態で載置され、しかも面材１６の下面にフォークリフトのフォークを挿入するための空間１８を画成しなければならないため、その分、面材１６および各脚材１７の材質および構造を特殊なものとしなければならない。すなわち、パレット１２の上面に積載される収容物１９は、図２に示すように６個の巻回された金属材２０を段積みする場合、その総荷重は１ｔ以上になるため、構造は以下のとおり特殊なものとしなければならない。
【００３１】
以下パレット１２の詳細な構造を図４ないし図７に基づいて説明する。パレット１２を構成する面材１６は、図７に示すように上層を硬質の積層板紙材１６Ａで、下層を段ボール材１６Ｂにて形成している。面材１６の下面に取り付けられ、長手方向をＹ方向に対応させる状態で面材１６と結合される各脚材１７は、長手方向をＹ方向に沿って配設し、支持面１５上に載置される全体紙製の長尺面材２１の上面に３つの紙管材２２を被着する状態で形成される。
【００３２】
脚材１７の構成部材としての長尺面材２１は、硬質の積層板紙材にて形成され、長手方向（Ｙ方向）において所定間隔をもって３つの平面円形からなる開口部２３を穿設し、備えるようにしている（図５参照）。各開口部２３のうち、長手方向（Ｙ方向）での各端部に位置する開口部２３には、長尺面材２１の長手方向での各端部を切欠き、形成されるスリット２４が備えられる。
【００３３】
脚材１７の構成部材としての紙管材２２は、帯状紙材を丸環状に巻回して形成される丸管材が使用され、管状胴部が支持面１５に対して垂直に立設されるよう支持面１５上に載置される長尺面材２１に対して被着される。長尺面材２１に対する各紙管材２２の被着は、長尺面材２１の各開口部２３に紙管材２２の管状下部を挿着して行われる。このため、紙管材２２の外径は開口部２３の直径に対応させている。開口部２３に挿着された各紙管材２２の下部の開口には、図６および図７に示すように長尺面材２１の下面側から矢印方向（図７）にキャップ体２５が挿入される。
【００３４】
挿入される各キャップ体２５は、図５に示すように周部につば部２５Ａを備えた全体帽子形状のものとされ、円盤状の紙材をプレスして形成される全体紙製のものとされる。このキャップ体２５は、つば部２５Ａの上面に接着剤を塗布した状態で、長尺面材２１の開口部２３の管状下部を装着してなる紙管材２２の下部開口に挿入される。そしてつば部２５Ａの上面を、そこに塗布された接着剤を介して長尺面材２１の下面（開口部２３の周部下面側）に接着するようにする。この結果、各紙管材２２の開口部２３に対する被着が、より強固なものとなる。紙管材２２の管状下部の長尺面材２１に対する被着は、この他様々な方法が採用可能である。
【００３５】
一方、各紙管材２２の管状上部は、予め面材１６の下面のうち、下層の段ボール材１６Ｂの部分を穿設して形成された凹部２６に挿着する状態で面材１６に取り付けられる。すなわち、凹部２６は面材１６の下面の対応位置に予めそれぞれ穿設して形成するようにしてなり、各凹部２６の内径は紙管材２２が挿着されるよう紙管材２２の直径に対応させている。凹部２６に対する各紙管材２２の挿着は、予め凹部２６内に接着剤を塗布し、この状態で紙管材２２の管状上部を凹部２６に挿入して行う。こうしてパレット１２は各脚材１７が全体方形状の面材１６の下面において、Ｘ方向に離隔する状態で取り付けられ、形成されることとなる。こうして形成されるパレット１２は、支持面１５上において各脚材１７間にフォークリフトのフォークを挿入するための空間１８が画成されることとなる。
【００３６】
次に、上記のようにして形成されるパレット１２、筒状体１３、さらに蓋体１４からなる紙製収容容器により、具体的に収容物１９を収容して梱包する実施形態を説明する。
【００３７】
先ず支持面１５上において、各辺部をＸ方向あるいはＹ方向に対応させてなるパレット１２の面材１６の上面中心に図２に示すように全体環状の収容物１９を載置する。載置は、収容物１９を面材１６の上面の収容空間に段積みする状態で行う。所定高さに収容物１９が段積みされた状態（図２では６段）において、収容物１９を囲繞する状態で筒状体１３をパレット１２の面材１６上に載置する。
【００３８】
さらに筒状体１３の上部開口を閉塞するように筒状体１３の上部に蓋体１４を被着する。こうした収容物１９の収容状態において、脚材１７の下面長手方向に沿ってパレット１２の上面の面材１６の収容空間に載置された収容物１９は、これを囲繞する状態で載置される筒状体１３の上部開口との間で、蓋体１４、筒状体１３、パレット１２を図３の矢印方向に周回する結束バンド３０を掛け回される。この結果、該結束バンド３０によりこれら蓋体１４、筒状体１３およびパレット１２がそれぞれ結束し、梱包される。
【００３９】
結束バンド３０による蓋体１４、筒状体１３、パレット１２の結束は、先ず図３に示すように予めパレット１２の各脚体１７下面の長手方向に沿って結束バンド３０を配設する。この際結束バンド３０は、ガイド溝としての長尺面材２１の各端部に形成されるスリット２４の部分に対応させて案内するようにする。この結果、結束バンド３０は、このスリット２４の部分において各脚材１７の紙管材１２の管状下部に当接されることになる。
【００４０】
さらにこうしてスリット２４に案内され、図３の矢印方向に周回する結束バンド３０は、パレット１２における各脚材１７が取り付けられる面材１６の長尺面材２１の端部対応位置に予め形成されるガイド溝３１に対しても係合し、案内される（図１、図６の２点鎖線参照）。
【００４１】
さらに加えて、図３の矢印方向に沿って蓋体１４の上方に周回する結束バンド３０は、蓋体１４のＸ方向に沿う各辺部の対応位置に形成されるガイド溝３２にも係合し、案内される。こうしてパレット１２、筒状体１３、蓋体１４のそれぞれを周回する状態で配設される結束バンド３０により、図１に示すように内部に収容物１９を収容してなる紙製収容容器１１が梱包されることになる。
【００４２】
こうして図１に示すように一対の結束バンド３０により、梱包され、パレット１２、筒状体１３、蓋体１４を一体に結合される収容容器１１は、空間１８にあるフォークリフトのフォーク挿入部にフォークを挿入し、運搬することが可能となり、内部の収容物１９を安全に運搬し、保管することが可能となる。
【００４３】
また、紙製収容容器１１は、全体がそれぞれ紙製からなるパレット１２、筒状体１３、蓋体１４により形成されるため軽量とされる。しかも筒状体１３や蓋体１４は、扁平な面材からなるため、使用前、使用後において嵩張らず保管することができ、また廃棄も可燃ゴミ、あるいはリサイクル可能な材料として処分することができる。
【００４４】
またパレット１２も全体が紙製のものとされ、全体扁平とされるため、使用前、使用後において嵩張らずに保管することができ、また廃棄も可燃ゴミ、あるいはリサイクル可能な材料として処分することができる。
【００４５】
また紙製収容容器１１は、構成部材としてのパレット１２、筒状体１３、蓋体１４のそれぞれが紙製とされるため、従来の木製の収容箱１の場合のように輸出入の際、検疫上の必要から燻蒸処理を要求されることがなく、輸出入の手続において余計な時間がかかることもない。
【００４６】
また上記収容容器１１のパレット１２は、たとえその上面に高荷重な収容物１９、例えば金属材２０のようなものを載置したとしても耐えられる構造をなし、例えば輸送や運搬の際に衝撃等が加わっても十分な耐力を有するものとされる。すなわち、パレット１２は、面材１６を硬質の積層板紙材１６Ａと段ボール材１６Ｂを重合して形成するとともに、各脚材１７を上下方向からの圧縮荷重に対して耐力を有する紙管材２２により形成しているため、パレット１２上に高荷重な収容物１９を載置し、段積みしても耐力を有する構造とされる。特に実施形態に係る脚材１７は、紙管材２２を管状胴部が支持面１５に対して垂直に立設してなるため、紙管材２２が最も圧縮強度を有する設計構造をもって長尺面材２１に係合され、十分な耐力を有するものとされる。
【００４７】
加えて脚材１７の長尺面材２１の各端部には、結束バンド３０のガイド溝としてのスリット２４が形成され、パレット１２、筒状体１３、蓋体１４のそれぞれを周回し、これらを結束する結束バンド３０はスリット２４に案内されて、該スリット２４の部分において紙管材２２の管状下部に直接当接することとなる。このため、バンド３０を結束する際にパレット１２の隅部に加わる荷重が、強度が比較的弱い長尺面材２１の端部に加わることがなく、比較的耐力のある紙管材２２の管状下部に加わるため、その分耐力あるパレット１２の提供が可能となる。
【００４８】
さらに脚体１７の長尺面材２１の各端部に対応する位置の面材１６にガイド溝３１が、また蓋体１４のＸ方向に沿う各辺部の対応位置にはガイド溝３２が形成されるため、パレット１２、筒状体１３、蓋体１４それぞれを周回する状態で配設される結束バンド３０を、確実かつ効率的に案内して掛け回し、梱包作業を行うことが可能となる。
【００４９】
この結果、高荷重なものを収容可能とし、衝撃等に対して耐力を有し、全体軽量で、使用後において処分が容易な紙製収容容器を提供することが可能となる。
【００５０】
なお、上記実施形態では、パレット１２の面材１６の下面において、Ｘ方向に離隔される一対の脚材１７を取り付けるようにしているが、脚材１７は一対に限らず３つ以上としてもよい。
【００５１】
また各脚材１７において、紙管材２２は長尺面材２１の長手方向（Ｙ方向）において３つ備え、これらをそれぞれ長尺面材２１に対して被着し、さらに各紙管材２２の管状上部を面材１６の凹部２６に挿着するようにしているが、紙管材２２は必ずしも３つ備えるようにする必要はなく、少なくとも所定高さのものが一対（２個）あればよい。
【００５２】
また上記実施形態においては、筒状体１３を全体角筒状のものとして形成しているが、収容物１９の大きさ等を考慮し、全体円筒形状のものとしてもよい。
【００５３】
また、上記実施形態においては、紙管材２２を、帯状紙材を丸管状に巻回して形成される丸管状のものとしているが、これに代えて帯状紙材を角環状に巻回して形成される角管状のものとしてもよい。この場合において、長尺面材２１に形成される開口部２３、並びに面材１６の下面に形成される凹部２６も紙管材の形状に対応して角形とすればよい。
【実施例】
【００５４】
図８および図９は、本発明の実施例に係る。この実施例は、図１に示す蓋体１４の変形例に係り、蓋体１４の上部において全体紙製からなる長尺状のガイド部材３５を、長手方向がＹ方向になるように被着して形成される。すなわち、蓋体１４の上部に左右一対被着されるガイド部材３５には、その上面にＹ方向に沿う長尺ガイド溝３６が図９に示すように備えられ、このガイド溝３６には、図８に示すように蓋体１４、筒状体１３、パレット１２を周回する状態でこれらを結束する結束バンド３０が係合され、案内される。その他の構成および使用は前記実施形態と同様であり、説明を省略する。
【産業上の利用可能性】
【００５５】
本発明に係る紙製収容容器は、金属製の帯板材など高荷重の収容物をその内部に収容するのに最適とされる。
【図面の簡単な説明】
【００５６】
【図１】本発明の最良の実施形態に係る紙製収容容器により、収容物を梱包した状態を示す斜視図である。
【図２】パレット上に載置された収容物を梱包する状態を示す斜視図である。
【図３】パレット、筒状体、蓋体のそれぞれに結束バンドを周回する状態を示す斜視図である。
【図４】パレットの上面に全体環状をなす帯状の金属材を載置する状態を示す斜視図である。
【図５】パレットの構造を示す分解斜視図である。
【図６】図４のＶＩ―ＶＩ線に沿う拡大断面図である。
【図７】パレットの構成部材を示す拡大断面図である。
【図８】蓋体の上面に長尺のガイド部材を被着した実施例を示す紙製収容容器の斜視図である。
【図９】図８に示すガイド部材の拡大斜視図である。
【図１０】従来、帯状の金属材を梱包するのに用いられていた木製の収容箱を示す斜視図である。
【図１１】図１０の収容箱を一部破断して示す斜視図である。
【符号の説明】
【００５７】
１          収容箱
２          底板材  
３          帯板材
４，１７    脚材
５，１５    支持面
６          側板材
７          開口
８          蓋体
９          結束バンド
１０，１８  空間（フォーク挿入部）
１１        紙製収容容器
１２        パレット
１３        筒状体
１４        蓋体
１６        面材
１６Ａ      板紙材
１６Ｂ      段ボール材
１９        収容物
２０        金属材
２０Ａ      介装材
２１        長尺面材
２２        紙管材
２３        開口部
２４        スリット（ガイド溝）
２５        キャップ体
２５Ａ      つば部
２６        凹部
３０        結束バンド
３１，３２  ガイド溝
３５        ガイド部材
３６        ガイド溝
【図１】
2010132294.tif 000003
【図２】
2010132294.tif 000004
【図３】
2010132294.tif 000005
【図４】
2010132294.tif 000006
【図５】
2010132294.tif 000007
【図６】
2010132294.tif 000008
【図７】
2010132294.tif 000009
【図８】
2010132294.tif 000010
【図９】
2010132294.tif 000011
【図１０】
2010132294.tif 000012
【図１１】
2010132294.tif 000013